(57)【要約】【課題】  従来、テレビ画面に表示された画像をビデオプリンタで印刷しても、テレビ画面に表示された画像と、明るさ，色調，シャープネス等のレベルが異なる画像が印刷されてしまうという問題があった。【解決手段】  表示部と、プリンタ部と、画像データを入力して所定の画質のレベル調整を施し、表示部に出力する画像調整部と、外部から操作されることにより、少なくとも画質のレベルの指定と表示部に表示された画像を印刷すべき旨の指示とを受ける操作部と、を備えたテレビ受像機を用い、前記操作部が、外部から画質のレベルの指定を受けた場合に、画像調整部は、画質が指定された前記レベルとなるようレベル調整を施し、外部から前記表示部に表示された画像を印刷すべき旨の指示を受けた場合には、画像調整部は、表示部に出力したのと同じ画像データをプリンタ部に出力し、プリンタ部は、画像調整部から入力した画像データの表す画像を印刷する。【選択図】  図１
2005294907.tif 000002
【特許請求の範囲】
【請求項１】
テレビ受像機であって、
少なくとも画像を表示する表示部と、
少なくとも画像を印刷するプリンタ部と、
画像を表す画像データを入力し、前記画像データに対して所定の画質のレベル調整を施し、レベル調整を施した結果得られた画像データを前記表示部に出力する画像調整部と、
外部から操作されることにより、少なくとも前記画質のレベルの指定と前記表示部に表示された画像を印刷すべき旨の指示とを受ける操作部と、
を備え、
前記操作部が、外部から前記画質のレベルの指定を受けた場合に、前記画像調整部は、前記画質が指定された前記レベルとなるようレベル調整を施し、
前記操作部が、外部から前記表示部に表示された画像を印刷すべき旨の指示を受けた場合に、前記画像調整部は、前記表示部に出力するのと同じ画像データを前記プリンタ部に出力し、前記プリンタ部は、前記画像調整部から入力した前記画像データの表す画像を印刷することを特徴とするテレビ受像機。
【請求項２】
テレビ受像機であって、
少なくとも画像を表示する表示部と、
少なくとも画像を印刷するプリンタ部と、
画像を表す画像データを入力し、前記画像データに対して所定の画質のレベル調整を施し、前記レベル調整を施した結果得られた画像データを前記表示部に出力する第１の画像調整部と、
前記画像データを入力し、前記画像データに対して前記画質のレベル調整を施し、レベル調整を施した結果得られた画像データを前記プリンタ部に出力する第２の画像調整部と、
外部から操作されることにより、少なくとも前記画質のレベルの指定と前記表示部に表示された画像を印刷すべき旨の指示とを受ける操作部と、
を備え、
前記操作部が、外部から前記画質のレベルの指定を受けた場合に、前記第１の画像調整部は、前記画質が指定された前記レベルとなるようレベル調整を施し、
前記操作部が、外部から前記表示部に表示された画像を印刷すべき旨の指示を受けた場合に、前記第２の画像調整部は、前記画質が前記第１の画像調整部の調整したレベルと同じレベルとなるように、レベル調整を施し、前記レベル調整を施した結果得られた画像データを前記プリンタ部に出力し、前記プリンタ部は、前記第２の画像調整部から入力した前記画像データの表す画像を印刷することを特徴とするテレビ受像機。
【請求項３】
請求項１または請求項２に記載のテレビ受像機であって、
前記所定の画質は、明るさ、色調、及びシャープネスのうち、少なくとも１つであることを特徴とするテレビ受像機。
【請求項４】
少なくとも画像を表示する表示部と、少なくとも画像を印刷するプリンタ部と、を備えたテレビ受像機において、前記表示部に表示された画像を前記プリンタ部に出力する方法であって、
（ａ）用意された画像データを前記表示部に出力し、前記表示部に画像を表示させる工程と、
（ｂ）外部から所定の画質のレベルの指定を受けた場合に、前記表示部に出力すべき前記画像データに対して、前記画質が指定された前記レベルとなるようレベル調整を施す工程と、
（ｃ）外部から前記表示部に表示された画像を印刷すべき旨の指示を受けた場合に、前記表示部に出力するのと同じ画像データを、前記プリンタ部に出力する工程と、
を備えることを特徴とする画像出力方法。
【請求項５】
少なくとも画像を表示する表示部と、少なくとも画像を印刷するプリンタ部と、を備えたテレビ受像機において、前記表示部に表示された画像を前記プリンタ部に出力する方法であって、
（ａ）用意された画像データを前記表示部に出力し、前記表示部に画像を表示させる工程と、
（ｂ）外部から所定の画質のレベルの指定を受けた場合に、前記表示部に出力すべき前記画像データに対して、前記画質が指定された前記レベルとなるようレベル調整を施す工程と、
（ｃ）外部から前記表示部に表示された画像を印刷すべき旨の指示を受けた場合に、前記用意された画像データに対して、前記画質が、工程（ｂ）で調整したレベルと同じレベルとなるようレベル調整を施して、前記プリンタ部に出力する工程と、
を備えることを特徴とする画像出力方法。
【発明の詳細な説明】
【技術分野】
【０００１】
本発明は、プリンタを備えたテレビ受像機に関し、特に、テレビ画面に表示された画像を印刷する場合に、印刷される画像の明るさ，色調，シャープネス等のレベルを、テレビ画面に表示された画像のレベルとほぼ等しくなるようにする技術に関する。
【背景技術】
【０００２】
従来、テレビ画面に表示された画像を印刷したいという要望があった。そして、このような要請に応えて、テレビ受像機の出力端子からビデオ信号を入力し、所望の画像をキャプチャして印刷するビデオプリンタが商品化されている。
この種のビデオプリンタの一例としては、例えば、下記の特許文献１に記載されたものが挙げられる。
【０００３】
【特許文献１】特開平１０−１８１１０３号公報
【発明の開示】
【発明が解決しようとする課題】
【０００４】
図５は、従来技術における、前述のビデオプリンタ及びテレビ受像機の概要構成を示す説明図である。図５に示すように、テレビ受像機Ｔｒは、主に、アンテナＡＮＴ，チューナユニット１０，信号変換部１１，画像処理部１２，画像表示部１３，操作部１４，及び外部出力インタフェース部１５から成る。ここで、操作部１４は、図示せざる調整ボタンを備えている。
【０００５】
一方、ビデオプリンタＶｐは、主に、信号変換部２０，画像処理部２１，プリンタエンジン２２，及び操作部２３から成る。ここで、操作部２３は、図示せざる調整ボタン及び印刷ボタンを備えている。
そして、前述のビデオプリンタＶｐの信号変換部２０と、前述のテレビ受像機Ｔｒの外部出力インタフェース部１５と、は互いにケーブルで接続されている。
【０００６】
テレビ受像機Ｔｒにおいて、アンテナＡＮＴは、受信したテレビ放送電波をチューナユニット１０に出力する。チューナユニット１０は、入力されたテレビ放送電波をチューニングし、信号に復調した後、外部出力インタフェース部１５及び信号変換部１１に分岐して出力する。外部出力インタフェース部１５は、入力された信号をビデオプリンタＶｐの信号変換部２０に出力する。一方、信号変換部１１は、入力された信号に所望の信号変換を施して、画像処理部１２に出力する。画像処理部１２は、入力された信号に対し、明るさ，色調，シャープネス等のレベル調整を行い、画像表示部１３に出力する。そして、画像表示部１３は、入力された信号に基づいて、その信号の表す画像を表示する。
ここで、テレビ受像機Ｔｒのユーザは、操作部１４の調整ボタンを操作することにより、画像表示部１３に表示される画像の明るさ，色調，シャープネス等を、好みのレベルに調整することができる。操作部１４は、ユーザが調整した明るさ，色調，シャープネス等のレベルを示すデータ（以下、「レベルデータ」と呼ぶ）を生成し、前述の画像処理部１２に送信する。そして、画像処理部１２は、受信したレベルデータの示すレベルとなるように前述のレベル調整を行う。
【０００７】
一方、ビデオプリンタＶｐにおいて、信号変換部２０は、前述のテレビ受像機Ｔｒの外部出力インタフェース部１５から入力された信号に、所望の信号変換を施して、画像処理部２１に出力する。そして、ビデオプリンタＶｐのユーザによって操作部２３の印刷ボタンが押下されると、画像処理部２１は、信号変換部２０からの信号に対して、明るさ，色調，シャープネス等のレベル調整を行った後、プリンタエンジン２２が処理可能な形式の画像データに変換して、プリンタエンジン２２に送信する。そして、プリンタエンジン２２は、受信した画像データに基づいて画像を印刷する。
ここで、ビデオプリンタＶｐのユーザは、操作部２３の調整ボタンを操作することにより、プリンタエンジン２２で印刷される画像の明るさ，色調，シャープネス等を、好みのレベルに調整することができる。操作部２３は、ユーザが調整した明るさ，色調，シャープネス等のレベルデータを生成し、前述の画像処理部２１に送信する。そして、画像処理部２１は、受信したレベルデータの示すレベルとなるように前述のレベル調整を行う。
【０００８】
以上説明したように、従来、テレビ画面に表示される画像とビデオプリンタで印刷される画像とは、それぞれ別々に明るさ，色調，シャープネス等のレベルが調整されていた。従って、テレビ画面に表示された画像をビデオプリンタで印刷しても、テレビ画面に表示された画像と、明るさ，色調，シャープネス等のレベルが異なる画像が印刷されてしまうという問題があった。
【０００９】
本発明は、従来技術における上述の課題を解決するためになされたものであり、テレビ画面に表示された画像を印刷する場合に、印刷される画像の明るさ，色調，シャープネス等のレベルを、テレビ画面に表示された画像のレベルとほぼ等しくなるようにすることを目的とする。
【課題を解決するための手段】
【００１０】
上述の課題の少なくとも一部を解決するために、本発明のテレビ受像機は、少なくとも画像を表示する表示部と、少なくとも画像を印刷するプリンタ部と、画像を表す画像データを入力し、前記画像データに対して所定の画質のレベル調整を施し、レベル調整を施した結果得られた画像データを前記表示部に出力する画像調整部と、外部から操作されることにより、少なくとも前記画質のレベルの指定と前記表示部に表示された画像を印刷すべき旨の指示とを受ける操作部と、を備え、
前記操作部が、外部から前記画質のレベルの指定を受けた場合に、前記画像調整部は、前記画質が指定された前記レベルとなるようレベル調整を施し、前記操作部が、外部から前記表示部に表示された画像を印刷すべき旨の指示を受けた場合に、前記画像調整部は、前記表示部に出力するのと同じ画像データを前記プリンタ部に出力し、前記プリンタ部は、前記画像調整部から入力した前記画像データの表す画像を印刷することを要旨とする。
【００１１】
このような構成とすることで、ユーザが、操作部を操作して、表示部に表示される画像の所定の画質を好みのレベルに指定すると、画像調整部は、画質のレベルがユーザによって指定されたレベルとなるように、入力した画像データに対してレベル調整を行って、レベル調整後の画像データを表示部に出力することになる。従って、表示部に表示される画像の画質はユーザの好みのレベルとなる。
そして、ユーザが、操作部を操作して、表示部に表示される画像をプリンタ部で印刷する旨を指示すると、画像調整部は、表示部に出力するのと同じ画像データをプリンタ部に出力するので、プリンタ部は、表示部に表示されたのと同じ画像を、画質がほぼ同じレベルになるようにして印刷することができる。
【００１２】
また、本発明のテレビ受像機は、少なくとも画像を表示する表示部と、少なくとも画像を印刷するプリンタ部と、画像を表す画像データを入力し、前記画像データに対して所定の画質のレベル調整を施し、前記レベル調整を施した結果得られた画像データを前記表示部に出力する第１の画像調整部と、前記画像データを入力し、前記画像データに対して前記画質のレベル調整を施し、レベル調整を施した結果得られた画像データを前記プリンタ部に出力する第２の画像調整部と、外部から操作されることにより、少なくとも前記画質のレベルの指定と前記表示部に表示された画像を印刷すべき旨の指示とを受ける操作部と、を備え、
前記操作部が、外部から前記画質のレベルの指定を受けた場合に、前記第１の画像調整部は、前記画質が指定された前記レベルとなるようレベル調整を施し、前記操作部が、外部から前記表示部に表示された画像を印刷すべき旨の指示を受けた場合に、前記第２の画像調整部は、前記画質が前記第１の画像調整部の調整したレベルと同じレベルとなるように、レベル調整を施し、前記レベル調整を施した結果得られた画像データを前記プリンタ部に出力し、前記プリンタ部は、前記第２の画像調整部から入力した前記画像データの表す画像を印刷することを要旨とする。
【００１３】
このような構成とすることで、ユーザが、操作部を操作して、表示部に表示される画像の所定の画質を好みのレベルに指定すると、画像調整部は、画質のレベルがユーザによって指定されたレベルとなるように、入力した画像データに対してレベル調整を行って、レベル調整後の画像データを表示部に出力することになる。従って、表示部に表示される画像の画質はユーザの好みのレベルとなる。
そして、ユーザが、操作部を操作して、表示部に表示される画像をプリンタ部で印刷する旨を指示すると、第２の画像調整部は、第１の画像調整部の調整したレベルと同じレベルとなるように、入力した画像データに対して所定の画質のレベル調整を施す。従って、このレベル調整が施された後の画像データの表す画像の画質は、第１の画像調整部が表示部に出力する画像データの表す画像の画質と同じレベルになることになる。そして、第２の画像調整部は、このレベル調整を施した後の画像データをプリンタ部に出力するので、プリンタ部は、表示部に表示されたのと同じ画像を、画質がほぼ同じレベルになるようにして印刷することができる。
【００１４】
なお、前述の所定の画質は、明るさ、色調、及びシャープネスのうち、少なくとも１つであってもよい。明るさ、色調、及びシャープネスは、画像について、ユーザが調整する代表的な画質であるからである。
【００１５】
また、本発明は、以下に示すような態様で実現することが可能である。
少なくとも画像を表示する表示部と、少なくとも画像を印刷するプリンタ部と、を備えたテレビ受像機において、前記表示部に表示された画像と同じ画像データを前記プリンタ部に出力する方法。
【発明を実施するための最良の形態】
【００１６】
以下、本発明を実施するための最良の形態を実施例に基づいて以下の順序で説明する。
Ａ．第１の実施例：
Ａ１．装置構成及び一般的動作：
Ａ２．印刷処理動作：
Ａ３．第１の実施例の効果：
Ｂ．第２の実施例：
Ｂ１．装置構成及び一般的動作：
Ｂ２．印刷処理動作：
Ｂ３．第２の実施例の効果：
Ｃ．変形例：
Ｃ１．変形例１：〜Ｃ６．変形例６：
【００１７】
Ａ．第１の実施例：
Ａ１．装置構成及び一般的動作：
図１は、本発明の第１の実施例におけるテレビ受像機の概要構成を示す説明図である。
このテレビ受像機１００は、リアプロジェクタタイプであり、後述するように、テレビ受像機１００の前面に備えられたスクリーン（図示省略）に画像を表す光（以下、「画像光」と呼ぶ）を投写して画像を表示する。なお、図１では、リアプロジェクタ部分の光学系については、図示を省略している。
【００１８】
テレビ受像機１００は、テレビ受像機として機能する部分として、主に、アンテナＡＮＴ１，チューナユニット１０１，ビデオデコーダ１０２，Ａ／Ｄ変換部１０３，フレームメモリ１０４，スケーラユニット１１０，操作部１１１，表示用フレームメモリ１１２，及び液晶ライトバルブ１２０を備えており、プリンタとして機能する部分として、主に、プリンタコントローラ１３０，フレームメモリ１３１，印刷用フレームメモリ１３２，及びプリンタエンジン１３３を備えている。そして、これらの構成要素は、ＣＰＵ（図示省略）によって制御されている。また、本実施例では、テレビ受像機１００は、テレビ受像機として機能する部分とプリンタとして機能する部分とが、一体的に構成された構造になっている。
【００１９】
前述の操作部１１１は、図示せざる調整ボタン及び印刷ボタンを備えている。また、プリンタエンジン１３３は、サーマルヘッド（図示省略）等、用紙に印刷するためのハードウェア群から成る。また、フレームメモリ１０４，表示用フレームメモリ１１２，フレームメモリ１３１，及び印刷用フレームメモリ１３２は、それぞれ１フレーム分のフレーム画像データを記憶することができる。
また、前述の液晶ライトバルブ１２０は、多数の液晶セル（図示省略）を有する透過型液晶ライトバルブである。
また、前述のスケーラユニット１１０は、内部にＲＡＭ（図示省略）を備えており、前述のスクリーンに表示される画像の明るさ，色調，シャープネスのレベルデータを、このＲＡＭに記憶させる。なお、初期状態においては、所定のレベルデータが初期値としてＲＡＭに記憶されている。
【００２０】
次に、このテレビ受像機１００の一般的動作について説明する。
テレビ受像機１００において、アンテナＡＮＴ１は、受信したテレビ放送電波をチューナユニット１０１に出力する。チューナユニット１０１は、入力されたテレビ放送電波をチューニングした後に復調し、輝度信号，色信号（色副搬送波周波数），及び同期信号からなるＣＶＢＳ信号を得て、このＣＶＢＳ信号を、ビデオデコーダ１０２に出力する。ビデオデコーダ１０２は、ＣＶＢＳ信号を入力すると、輝度信号と色信号とを分離した後、アナログＲＧＢ信号に変換して、Ａ／Ｄ変換部１０３に出力する。Ａ／Ｄ変換部１０３は、入力されたアナログＲＧＢ信号をデジタルＲＧＢ信号に変換してフレームメモリ１０４に出力する。フレームメモリ１０４は、このデジタルＲＧＢ信号を入力すると、１フレーム分の信号（フレーム画像データ）を、順次上書きして記憶する。
【００２１】
スケーラユニット１１０は、このフレームメモリ１０４に記憶されたフレーム画像データを順次読み出して、このフレーム画像データの表す画像の解像度を、液晶ライトバルブ１２０の解像度に合わせるために、補間処理を行って解像度を変換する。次に、スケーラユニット１１０は、この解像度変換後のフレーム画像データに対し、明るさ，色調，シャープネスのレベルを調整する。なお、このレベル調整の詳細動作については、後ほど説明する。
【００２２】
次に、スケーラユニット１１０は、レベル調整後のフレーム画像データを表示用フレームメモリ１１２に順次上書きして記憶させる。そして、スケーラユニット１１０は、この表示用フレームメモリ１１２に記憶させたフレーム画像データを順次読み出して、液晶ライトバルブ１２０に出力する。
【００２３】
液晶ライトバルブ１２０は、スケーラユニット１１０からフレーム画像データを入力すると、このフレーム画像データに基づいて、液晶セル（図示省略）に封入された液晶分子の配列を変化させ、光源（図示省略）から射出され、照明光学系（図示省略）を介して入射された光を、透過もしくは遮断することにより、フレーム画像データの表す画像の画像光を投写光学系（図示省略）に射出する。そして、この投写光学系は、液晶ライトバルブ１２０から画像光を入射すると、この画像光をスクリーン（図示省略）に投写する。
このようにして、スクリーン上にフレーム画像データの表す画像が、順次表示されることになる。
【００２４】
続いて、テレビ受像機１００のユーザが、スクリーンに表示される画像の明るさ，色調，シャープネスのレベルを調整する際の、テレビ受像機１００の動作について説明する。
ユーザが、操作部１１１の調整ボタンを操作して、スクリーンに表示される画像の明るさ，色調，シャープネスを好みのレベルとなるように調整すると、操作部１１１は、ユーザによって調整されたレベルを示すレベルデータを新たに生成して、スケーラユニット１１０に送信する。
【００２５】
スケーラユニット１１０は、新たに生成されたレベルデータを受信すると、前述のスケーラユニット１１０内のＲＡＭに記憶させる。なお、このＲＡＭには、初期値もしくは前回のレベル調整時に生成された古いレベルデータが記憶されており、スケーラユニット１１０は、新たに生成されたレベルデータをＲＡＭに記憶させることで、この初期値もしくは古いレベルデータを上書きさせることになる。
そして、スケーラユニット１１０は、新たに生成されたレベルデータをＲＡＭから読み出し、このレベルデータの示すレベルとなるように、明るさ，色調，シャープネスのレベル調整を行うので、スクリーンに表示される画像の明るさ，色調，シャープネスのレベルは、ユーザの好みのレベルに調整されることになる。
【００２６】
Ａ２．印刷処理動作：
図２は、本発明の第１の実施例におけるスクリーンに表示された画像を印刷する処理の手順を示すフローチャートである。
今、テレビ受像機１００のスクリーンに画像が表示されていて、テレビ受像機１００のユーザが、或る表示された画像を印刷しようとして、操作部１１１の印刷ボタンを押し、テレビ受像機１００に印刷を指示したものとする。
【００２７】
まず、操作部１１１は、スケーラユニット１１０に印刷ボタンが押された旨を通知する（ステップＳ２００）。印刷ボタンが押された旨を通知されると、スケーラユニット１１０は、印刷指示をプリンタコントローラ１３０に送信すると共に、表示用フレームメモリ１１２に記憶させているフレーム画像データＦａを読み出して、フレームメモリ１３１に転送し、記憶させる（ステップＳ２０２）。
【００２８】
スケーラユニット１１０から印刷指示を受信すると、プリンタコントローラ１３０は、スケーラユニット１１０がフレームメモリ１３１に記憶させたフレーム画像データＦａを読み出して、プリンタエンジン１３３で処理可能なＣＭＹＫ（シアン，マゼンダ，イエロー，ブラック）から成るフレーム画像データにデータ変換し、印刷用フレームメモリ１３２に記憶させる（ステップＳ２０４）。
【００２９】
次にプリンタコントローラ１３０は、印刷用フレームメモリ１３２に記憶させたフレーム画像データを読み出して、プリンタエンジン１３３に送信し、プリンタエンジン１３３は、このフレーム画像データに基づいて画像を印刷する（ステップＳ２０６）。
【００３０】
Ａ３．第１の実施例の効果：
以上説明したように、スケーラユニット１１０は、表示用フレームメモリ１１２に記憶させているレベル調整済みのフレーム画像データを、液晶ライトバルブ１２０に出力しており、テレビ受像機１００のユーザによって印刷が指示されると、液晶ライトバルブ１２０に出力したレベル調整済みのフレーム画像データを、フレームメモリ１３１にも転送することになる。そして、液晶ライトバルブ１２０に出力されたフレーム画像データの表す画像は、スクリーンに表示され、一方、フレームメモリ１３１に転送されたフレーム画像データの表す画像は、プリンタエンジン１３３で印刷されることになる。
従って、スクリーンに表示された画像をプリンタエンジン１３３で印刷する場合に、印刷される画像の明るさ，色調，シャープネス等のレベルを、スクリーンに表示された画像のレベルとほぼ等しくなるようにすることができる。
【００３１】
Ｂ．第２の実施例：
Ｂ１．装置構成及び一般的動作：
図３は、本発明の第２の実施例におけるテレビ受像機の概要構成を示す説明図である。
このテレビ受像機３００も、図１に示すテレビ受像機１００と同様に、リアプロジェクタタイプであり、テレビ受像機３００の前面に備えられたスクリーン（図示省略）に画像光を投写して画像を表示する。なお、図３でも、図１と同様に、リアプロジェクタ部分の光学系については、図示を省略している。
【００３２】
テレビ受像機３００は、アンテナＡＴＮ２，チューナユニット３０１，ビデオデコーダ３０３，Ａ／Ｄ変換部３０４の他、テレビ受像機として機能する部分として、主に、フレームメモリ３０５，スケーラユニット３４０，操作部３４２，表示用フレームメモリ３４３，及び液晶ライトバルブ３２０を備えており、プリンタとして機能する部分として、主に、フレームメモリ３１５，プリンタコントローラ３３０，印刷用フレームメモリ３３２，及びプリンタエンジン３３３を備えている。そして、これらの構成要素は、ＣＰＵ（図示省略）によって制御されている。また、本実施例では、テレビ受像機３００は、テレビ受像機として機能する部分とプリンタとして機能する部分とが、一体的に構成された構造になっている。
【００３３】
ここで、本実施例におけるスケーラユニット３４０は、前述の第１の実施例におけるスケーラユニット１１０と同様に、内部にＲＡＭ３４１を備え、レベルデータを記憶させる。一方、本実施例のプリンタコントローラ３３０は、第１の実施例におけるプリンタコントローラ１３０と異なり、内部にＲＡＭ３３１を備えてレベルデータを記憶させ、後述するように、このＲＡＭ３３１に記憶させたレベルデータの示すレベルとなるように、印刷される画像の明るさ，色調，シャープネスのレベル調整を行う。
なお、前述のＲＡＭ３４１及びＲＡＭ３３１には、初期状態において、それぞれ同じ所定のレベルデータが、初期値として記憶されている。
【００３４】
なお、フレームメモリ３０５及び３１５，表示用フレームメモリ３４３，印刷用フレームメモリ３３２，操作部３４２，液晶ライトバルブ３２０，及びプリンタエンジン３３３の構成は、それぞれ、前述の第１の実施例におけるフレームメモリ１０４，表示用フレームメモリ１１２，印刷用フレームメモリ１３２，操作部１１１，液晶ライトバルブ１２０，及びプリンタエンジン１３３の構成と同じであるので、説明を省略する。
【００３５】
次に、このテレビ受像機３００の一般的動作について説明する。
アンテナＡＮＴ２がテレビ放送電波を受信してから、スクリーン（図示省略）に画像が表示されるまでの動作については、前述の第１の実施例におけるテレビ受像機１００の動作と同じであるので説明を省略する。
ただし、図３に示すＡ／Ｄ変換部３０４は、図１に示すＡ／Ｄ変換部１０３と異なり、アナログＲＧＢ信号をデジタルＲＧＢ信号に変換した後、この変換したデジタルＲＧＢ信号をフレームメモリ３０５に出力すると共に、分岐してフレームメモリ３１５にも出力する。そして、フレームメモリ３１５は、フレームメモリ３０５と同様に、このデジタルＲＧＢ信号を入力すると、１フレーム分の信号（フレーム画像データ）を、順次上書きして記憶する。なお、このフレームメモリ３１５が記憶するフレーム画像データは、後述するように、プリンタコントローラ３３０によって読み出されない限り、プリンタコントローラ３３０に入力されることはない。
【００３６】
なお、テレビ受像機３００のユーザが、スクリーンに表示される画像の明るさ，色調，シャープネスのレベルを調整する際の、テレビ受像機３００の動作も、前述のテレビ受像機１００の動作と同じであるので、説明を省略する。ただし、レベル調整の結果、操作部３４２は、新たにレベルデータＬＤ１を生成し、スケーラユニット３４０は、このレベルデータＬＤ１を、スケーラユニット３４０内のＲＡＭ３４１に記憶させたものとする。
【００３７】
Ｂ２．印刷処理動作：
図４は、本発明の第２の実施例におけるスクリーンに表示された画像を印刷する処理の手順を示すフローチャートである。
今、テレビ受像機３００のスクリーンに画像が表示されていて、テレビ受像機３００のユーザが、或る表示された画像を印刷しようとして、操作部３４２の印刷ボタンを押し、テレビ受像機３００に印刷を指示したものとする。
【００３８】
まず、操作部３４２は、スケーラユニット３４０に印刷ボタンが押された旨を通知する（ステップＳ４００）。印刷ボタンが押された旨を通知されると、スケーラユニット３４０は、印刷指示と共に、ＲＡＭ３４１に記憶させたレベルデータＬＤ１をプリンタコントローラ３３０に送信する（ステップＳ４０２）。
【００３９】
前述の印刷指示及びレベルデータＬＤ１を受信すると、プリンタコントローラ３３０は、まず、プリンタコントローラ３３０内のＲＡＭ３３１に、レベルデータＬＤ１を記憶させる（ステップＳ４０４）。このＲＡＭ３３１には、初期値もしくは前回受信したレベルデータが記憶されており、プリンタコントローラ３３０が、レベルデータＬＤ１をＲＡＭ３３１に記憶させることにより、この初期値もしくは前回受信したレベルデータは、上書きされることになる。
【００４０】
次に、プリンタコントローラ３３０は、フレームメモリ３１５に記憶されているフレーム画像データを読み出すと共に、ＲＡＭ３３１に記憶させたレベルデータＬＤ１を読み出し、読み出したフレーム画像データに対し、明るさ，色調，及びシャープネスのレベルが、レベルデータＬＤ１の示すレベルとなるように調整する（ステップＳ４０６）。
【００４１】
次に、プリンタコントローラ３３０は、レベル調整後のフレーム画像データを、プリンタエンジン３３３で処理可能なＣＭＹＫから成るフレーム画像データにデータ変換し、印刷用フレームメモリ３３２に記憶させる（ステップＳ４０８）。
【００４２】
次に、プリンタコントローラ３３０は、印刷用フレームメモリ３３２に記憶させたフレーム画像データを読み出して、プリンタエンジン３３３に送信し、プリンタエンジン３３３は、このフレーム画像データに基づいて画像を印刷する（ステップＳ４１０）。
【００４３】
Ｂ３．第２の実施例の効果：
以上説明したように、スケーラユニット３４０から印刷指示を受信すると、プリンタコントローラ３３０は、スケーラユニット３４０がフレームメモリ３０５から読み出すのと同じフレーム画像データを、フレームメモリ３１５から読み出し、また、スケーラユニット３４０がＲＡＭ３４１から読み出すのと同じレベルデータＬＤ１を、ＲＡＭ３３１から読み出して、このレベルデータＬＤ１の示すレベルとなるように、前述の読み出したフレーム画像データに対し、明るさ，色調，及びシャープネスのレベルを調整することになる。
従って、プリンタコントローラ３３０がレベル調整後にプリンタエンジン３３３に送信するフレーム画像データの表す画像は、スケーラユニット３４０がレベル調整後に液晶ライトバルブ３２０に出力したフレーム画像データの表す画像と、明るさ，色調，及びシャープネスのレベルが等しくなる。
従って、スクリーンに表示された画像をプリンタエンジン３３３で印刷する場合に、印刷される画像の明るさ，色調，シャープネス等のレベルを、スクリーンに表示された画像のレベルとほぼ等しくなるようにすることができる。
【００４４】
Ｃ．変形例：
なお、本発明は、前述の実施例や実施形態に限られるものではなく、その要旨を逸脱しない範囲において、種々の態様において実施することが可能であり、例えば以下のような変形も可能である。
【００４５】
Ｃ１．変形例１：
前述の第２の実施例において、スケーラユニット３４０は、ユーザが操作部３４２の印刷ボタンを押して、操作部３４２がスケーラユニット３４０に印刷ボタンが押された旨を通知した後に、ＲＡＭ３４１に記憶させたレベルデータＬＤ１をプリンタコントローラ３３０に送信していた。本発明は、これに限るものではなく、ユーザが操作部３４２の調整ボタンを操作してスクリーンに表示される画像の明るさ，色調，シャープネスを調整し、操作部３４２がスケーラユニット３４０に新たに生成したレベルデータを送信した後に、スケーラユニット３４０は、このレベルデータをプリンタコントローラ３３０に送信するようにしてもよい。
【００４６】
Ｃ２．変形例２：
前述の第１の実施例におけるテレビ受像機１００、及び第２の実施例におけるテレビ受像機３００は、共に、リアプロジェクタタイプであったが、これに代えて、液晶ディスプレイタイプやＣＲＴタイプなどであっても構わない。
また、第１の実施例におけるプリンタエンジン１３３、及び第２の実施例におけるプリンタエンジン３３３は、共にサーマルヘッド等のハードウェア群から成るものとしたが、サーマルヘッドに代えて、感光体ドラム，インクジェットヘッド，またはインクリボン等、用紙に印刷するための他のハードウェアを含むハードウェア群から成るものでも構わない。
【００４７】
Ｃ３．変形例３：
前述の第１の実施例では、ビデオデコーダ１０２が、ＣＶＢＳ信号をアナログＲＧＢ信号に変換した後に、Ａ／Ｄ変換部１０３が、このアナログＲＧＢ信号をデジタルＲＧＢ信号に変換していたが、このビデオデコーダ１０２及びＡ／Ｄ変換部１０３の順番を入れ替えると共に、ビデオデコーダ１０２に代えてデジタル信号をデコードするビデオデコーダを備えるようにして、Ａ／Ｄ変換部１０３が、ＣＶＢＳ信号をデジタルＣＶＢＳ信号に変換した後、前述のビデオデコーダが、このデジタルＣＶＢＳ信号に基づいて、デジタルＲＧＢ信号を出力するようにしてもよい。なお、第２の実施例においても同様であるので、説明を省略する。
【００４８】
Ｃ４．変形例４：
前述の第１の実施例では、調整部１１１は、レベルデータを生成するものとしていたが、レベルデータに代えて、明るさ，色調，シャープネスのレベルの調整量（調整前後のレベルの差分）を示す情報を生成するようにしてもよい。なお、この場合、スケーラユニット１１０は、操作部１１１から受信したこのレベルの調整量を示す情報に基づいて、ＲＡＭに記憶させていたレベルデータを更新するようにすればよい。なお、第２の実施例についても同様であるので、説明を省略する。
【００４９】
Ｃ５．変形例５：
前述の第１の実施例では、テレビ受像機１００は、テレビ受像機として機能する部分とプリンタとして機能する部分とが、一体的に構成された構造になっているが、それぞれが別体に構成された構造になっているものであってもよい。
【００５０】
Ｃ６．変形例６：
前述の実施例では、テレビ放送電波を受信して得た画像を印刷するようになっていたが、例えば、ビデオプレーヤーやＤＶＤプレーヤーから出力された画像信号から得た画像を印刷するものであってもよい。
【図面の簡単な説明】
【００５１】
【図１】第１の実施例におけるテレビ受像機の概要構成を示す説明図。
【図２】第１の実施例におけるスクリーンに表示された画像を印刷する処理の手順を示すフローチャート。
【図３】第２の実施例におけるテレビ受像機の概要構成を示す説明図。
【図４】第２の実施例におけるスクリーンに表示された画像を印刷する処理の手順を示すフローチャート。
【図５】従来技術におけるビデオプリンタ及びテレビ受像機の概要構成を示す説明図。
【符号の説明】
【００５２】
１１，２０...信号変換部
１２，２１...画像処理部
１３...画像表示部
１５...外部出力インタフェース部
１００，３００...テレビ受像機
１０，１０１，３０１...チューナユニット
１０２，３０３...ビデオデコーダ
１０３，３０４...Ａ／Ｄ変換部
１０４，１３１，３０５，３１５...フレームメモリ
１１０，３４０...スケーラユニット
１４，２３，１１１，３４２...操作部
１１２，３４３...表示用フレームメモリ
１２０，３２０...液晶ライトバルブ
１３０，３３０...プリンタコントローラ
１３２，３３２...印刷用フレームメモリ
２２，１３３，３３３...プリンタエンジン
３３１，３４１...ＲＡＭ
ＡＮＴ，ＡＮＴ１，ＡＮＴ２...アンテナ
Ｔｒ...テレビ受像機
Ｖｐ...ビデオプリンタ
【図１】
2005294907.tif 000003
【図２】
2005294907.tif 000004
【図３】
2005294907.tif 000005
【図４】
2005294907.tif 000006
【図５】
2005294907.tif 000007